(57)【特許請求の範囲】
【請求項１】
本体の下部に設けられ、略水平面の頂壁と該頂壁と連続する主側壁と少なくとも１つの副側壁とを備え、前記本体の側部に向いた開口を有する凹部と、
前記主側壁に入口が設けられた給電部と
を備える電気機器において、
前記頂壁に上向きに窪んだ防水溝を設け、
前記防水溝の深さは、前記給電部の入口に近い方の端部から遠い方の端部に向かって浅くなることを特徴とする電気機器。
【請求項２】
前記防水溝は、一方の端部及び他方の端部がともに前記給電部の入口以外の主側壁に位置し、又は前記一方の端部が前記給電部の入口以外の主側壁に位置し前記他方の端部が前記副側壁に位置することを特徴とする請求項１に記載の電気機器。
【請求項３】
前記主側壁の両側にそれぞれ隣接して前記副側壁があり、
前記防水溝は、一方の端部が一方の前記副側壁に位置し、他方の端部が他方の前記副側壁に位置することを特徴とする請求項１に記載の電気機器。
【請求項４】
前記端部と連結された側壁溝を前記主側壁と前記副側壁のうち少なくとも一方に設けたことを特徴とする請求項２又は請求項３に記載の電気機器。
【請求項５】
前記防水溝の深さは、前記開口側の外縁から前記給電部側に向かって深くなることを特徴とする請求項１ないし請求項４のいずれか１項に記載の電気機器。
【請求項６】
前記給電部は、一方側に前記入口として差込口が形成され、かつ、他方側に端子が装着された端子ケーシングを備えたことを特徴とする請求項１ないし請求項５のいずれか１項に記載の電気機器。
【請求項７】
前記端子ケーシングの前記差込口側の上面に、前記主側壁に沿って溝を設けたことを特徴とする請求項６に記載の電気機器。
【請求項８】
前記給電部は、前記本体の内部に収容されたコードリールに巻回された電源コードを備え、前記入口は前記電源コードの挿通口であることを特徴とする請求項１ないし請求項５のいずれか１項に記載の電気機器。
【請求項９】
前記防水溝を互いに間隔をあけて複数設けたことを特徴とする請求項１ないし請求項８のいずれか１項に記載の電気機器。
【発明の詳細な説明】
【技術分野】
【０００１】
本発明は、電気機器に関し、特に、水蒸気を発生する炊飯器等の調理家電機器、および、水蒸気を発生するポット、除湿器、加湿器等の日用家電機器に関する。
【背景技術】
【０００２】
一般に、炊飯器等の調理家電機器やポット、除湿器、加湿器等の日用家電機器は、一部の製品を除いて上部の吹出口から水蒸気を発生する構造になっている。そのため、ポット等の容器内に規定値より多く水を入れてしまった場合、沸騰時に吹出口から水蒸気だけではなく、水が溢れる。加えて、調理家電機器を台所付近で使用した場合や日用家電機器の上方でコップに入った水等をこぼした場合、上方から機器に水がかかることがある。
【０００３】
電気機器には開口部分を介して外部に露出した接続端子を有する電気コード接続部が設けられている場合がある。この場合、電気コード接続部は、接触する可能性のある水に対して出来るだけ遠い所に位置させるようにする点や外観を良くする点から機器下部に設けられて側部に向いて開口する凹部の内部に配置されていることが多い。しかしながら、電気コード接続部をそのように配置した場合であっても、開口部分の上端縁を通って水が電気コード接続部内部に浸入することがあり、これを回避する必要がある。特に、電気機器が傾いた場所に置かれている場合、水が浸入しやすい。
【０００４】
特許文献１には、電気コード接続部の開口部分の上端縁から下方に延び、電気コード接続部内部への水の浸入を防止する庇部が設けられた電気調理器が開示されている。製品が水平に置かれた状態であれば、吹きこぼれ等により側面を滴る水は庇部から垂直に落下するため、電気コード接続部内部へ浸入するおそれはない。しかし、製品が傾いた状態で置かれ、かつ、庇部の長さが短い場合、水は庇部を伝って、電気コード接続部内部へ浸入するおそれがある。また、水が前記庇部を伝って電気コード接続部内部へ浸入しないように前記庇部の長さを長くすると、電気コードが挿入される前記開口部分の縦方向の長さも前記庇部の長さに応じて長くする必要が生じる。その結果、機器本体の全高が高くなり大型化する。さらに、庇部は電気コード接続部の開口部分の上端縁から下方に突起状に延びているため、使用者が電気コードを挿入する際、挿入し難いという問題も生じる。
【先行技術文献】
【特許文献】
【０００５】
【特許文献１】特開昭６３−１５４１０８号公報
【発明の概要】
【発明が解決しようとする課題】
【０００６】
本発明は、本体下部に設けられ側部に向いて開口する凹部の内部に給電部を備える電気機器において、機器本体の大型化および給電部への接続に際して困難を伴う凹部構造の形成を回避しつつ、給電部への水の浸入を確実に防止することを課題とする。
【課題を解決するための手段】
【０００７】
前記課題を解決する手段として、本発明の電気機器は、本体の下部に設けられ、略水平面の頂壁と該頂壁と連続する主側壁と少なくとも１つの副側壁とを備え、前記本体の側部に向いた開口を有する凹部と、前記主側壁に入口が設けられた給電部とを備える電気機器において、前記頂壁に上向きに窪んだ防水溝を設け、前記防水溝の深さは、前記給電部の入口に近い方の端部から遠い方の端部に向かって浅くなるようにした。
【０００８】
この構成によれば、本体の上部から側部を伝って下部に流れ、凹部の開口の上側に到達した水のほとんどは重力方向に落下する。そして、それ以外の残りの水は、凹部の開口の上側から頂壁を伝ってさらに給電部側へ向かって流れる。この水を頂壁に設けられた上向きに窪んだ防水溝で遮断もしくは、防水溝に入り込ませることにより、凹部の給電部の入口への水の浸入を確実に防止できる。また、凹部の開口の形状を変更する必要がないので、電気機器本体の大型化を回避できる。さらに、上向きに窪んだ防水溝が補強リブの役割を果たすため、頂壁部の強度を高めることができる。また、この構成によれば、防水溝に入り込んだ水を、防水溝を伝って給電部の入口に近い方の端部から遠い方の端部へと送ることができる。防水溝の端部に送られた水は、本体から略重力方向に排出される。
【０００９】
前記防水溝は、一方の端部及び他方の端部がともに前記給電部の入口以外の主側壁に位置し、又は前記一方の端部が前記前記給電部の入口以外の主側壁に位置し前記他方の端部が前記副側壁に位置することが好ましい。この構成によれば、防水溝に入り込んだ水を防水溝内部の内壁を伝わせて給電部の入口から離れた端部に移動させることができるので、主側壁に設けられた給電部の入口への水の浸入を確実に防止できる。あるいは、前記主側壁の両側にそれぞれ隣接して前記副側壁があり、前記防水溝は、一方の端部が一方の前記副側壁に位置し、他方の端部が他方の前記副側壁に位置してもよい。
【００１０】
前記端部と連結された側壁溝を前記主側壁と前記副側壁のうち少なくとも一方に設けることが好ましい。この構成によれば、防水溝の端部に移動させた水を、側壁溝を通して本体から確実に排出できる。
【００１２】
前記防水溝の深さは、前記開口側の外縁から前記給電部側に向かって深くなることが好ましい。この構成によれば、防水溝は、開口側の外縁から給電部側に向かって登り勾配の傾斜面を形成しているので、開口側の外縁側から防水溝に入り込んだ水が登り勾配の傾斜面を乗り越えて給電部側に浸入するのを確実に防止できる。
【００１３】
前記給電部は、一方側に前記入口として差込口が形成され、かつ、他方側に端子が装着された端子ケーシングを備えることが好ましい。この構成によれば、頂壁の防水溝が上向きに窪んでいるので、凹部に給電部の差込口を設けても電源コードを差込口に接続する際に、電源コードを凹部に挿入し難くなることを回避できる。
【００１４】
前記端子ケーシングの前記差込口側の上面に、前記主側壁に沿って溝を設けることが好ましい。この構成によれば、万一凹部の頂壁を伝う水が防水溝を越えて、さらに頂壁を伝い、主側壁に到達した場合であっても、主側壁を伝う水が給電部に接触する前に、その水を溝に流れ込ませることにより、給電部への水の浸入を確実に防止できる。そして、端子ケーシングの側面を伝わせて電気機器本体から水を排出することができる。
【００１５】
前記給電部は、前記本体の内部に収容されたコードリールに巻回された電源コードを備え、前記入口は前記電源コードの挿通口であることが好ましい。この構成によれば、防水溝に頂壁を伝う水を入り込ませることにより給電部に水が浸入することを防止できる。したがって、挿通口から電源コードを伝って本体内部のコードリール側への水の浸入を確実に防止できる。
【００１６】
凹部の頂壁の開口側の外縁に複数の防水溝を設けることで、給電部への水の浸入をより確実に防止できる。
【発明の効果】
【００１７】
本発明によれば、凹部の頂壁に上向きに窪んだ防水溝を設けているので、機器本体の大型化および給電部への接続に際して困難を伴う凹部構造の形成を回避しつつ、給電部への水の浸入を確実に防止することができる。
【図面の簡単な説明】
【００１８】
【図１】本発明の第１実施形態の炊飯器を示す上方斜視図。
【図２】本発明の第１実施形態の炊飯器を示す下方斜視図。
【図３】凹部の給電部を示す部分下方斜視図。
【図４】防水溝が設けられた頂壁を示す部分拡大図。
【図５】図４のＶ−Ｖ線断面図。
【図６】主側壁と２つの副側壁により形成された凹部を示す部分拡大図。
【図７】防水溝と連結された側壁溝が設けられた凹部を示す模式断面図。
【図８】（ａ）は深さが変化する防水溝の一例を示す模式図、（ｂ）は深さが変化する防水溝の他の例を示す部分拡大断面図。
【図９】差込口側の上面に溝を備える端子ケーシングを示す部分拡大断面図。
【図１０】コードリール型の電源コードを備える本発明にかかる炊飯器を示す底面図。
【図１１】２つの防水溝が設けられた頂壁を示す部分拡大図。
【図１２】（ａ）ないし（ｃ）はそれぞれ異なる形状の防水溝を示す図。
【発明を実施するための形態】
【００１９】
以下、本発明の実施の形態を図面に従って説明する。
【００２０】
図１および図２は、本発明の第１実施形態の電気機器の一例である炊飯器を示す。この炊飯器は、炊飯器本体１０の上部に蓋体１１を開閉可能にヒンジ接続している。炊飯器本体１０の内部には、飯米と水をセットした内鍋（図示せず）が着脱可能に装着される。内鍋を誘導加熱コイルなどの加熱手段によって加熱することにより、内鍋内を加熱して飯米を炊飯する。
【００２１】
炊飯器本体１０は、上下端を開口した筒状をなす胴体１２と、胴体１２の上端開口のうち閉塞位置の蓋体１１を除く部分を閉塞する肩体１３と、胴体１２の下端開口を閉塞する底体１４とを有する。底体１４は、給電部１５を有する凹部１６を備えている。この凹部１６付近の構造については、後に詳述する。
【００２２】
肩体１３には蓋体１１を回転可能に取り付けたヒンジ（図示せず）が設けられ、このヒンジはヒンジカバー１７で覆われている。胴体１２に取り付けられた回動自在のハンドル１８を規制するストッパ部１９がヒンジカバー１７に設けられている。また、肩体１３の前面には操作パネル部２０が設けられている。
【００２３】
凹部１６付近の構造について説明する。以下の説明では、特に指定しない限り前後左右は炊飯器を正面から見た場合（操作パネル部２０に正対した場合）を基準にする。
【００２４】
図３及び図４を参照すると、炊飯器本体（以下、本体とする。）１０の右側後方の側部２１と背面部２２が交わる隅領域には、底体１４に凹部１６が形成されている。凹部１６は、本体１０の側部２１、背面部２２、及び下方の３方向に向いた開口２３を有する。凹部１６の上方の境界を画定する頂壁２４から、互いに隣接する主側壁２５と副側壁２６が下向きに延びている。主側壁２５と副側壁２６は底面視でＬ字状を呈している。主側壁２５の後端には給電部側壁２７と別の副側壁２８とにより底面視でＬ字状の段部が形成されている。給電部側壁２７は、主側壁２５に隣接している。別の副側壁２８は、給電部側壁２７に隣接している。これら給電部側壁２７と別の副側壁２８も、頂壁２４から下向きに延びている。主側壁２５、副側壁２６、給電部側壁２７、および別の副側壁２８の縁により開口２３が画定されている。本実施形態では、頂壁２４は実質的に水平面（法線が鉛直方向を向いた面）であり、主側壁２５、副側壁２６、給電部側壁２７、および別の副側壁２８はいずれも実質的に鉛直面（法線が水平方向を向いた面）である。
【００２５】
頂壁２４の底面視での輪郭は、一つの円弧（側部２１と背面部２２の隅領域に対応する）である外縁２９と、外縁２９の両端から延びて互いに直交する２本の直線部分とからなる略扇形である。
【００２６】
また、図４および図５に示すように、頂壁２４には、外縁２９に沿って上向きに窪んだ防水溝３０が設けられている。防水溝３０は底面視で円弧状である。防水溝３０の一端３０ａは、副側壁２６と隣接するように位置している。他端３０ｂは、別の副側壁２８と隣接するように位置している。すなわち、防水溝３０の両端部３０ａ，３０ｂは、底面視で給電部１５の差込口（入口）３１を越えた所に位置している。そして、上向きに窪んだ防水溝３０は補強リブの役割を果たしている。防水溝３０の幅は、２〜５ｍｍであり、好ましくは、３ｍｍである。防水溝３０の深さは、２〜５ｍｍであり、好ましくは、３ｍｍである。本実施形態では、防水溝３０の断面形状は矩形であるが三角形、五角形、半円、半だ円等、他の形状でもよい。
【００２７】
主側壁２５は、底面視で前後に延びており、凹部１６の本体１０左方向の境界を画定する。主側壁２５は略矩形である。主側壁２５は、上端が頂壁２４と連続し、下端が底体１４の底面３７と連続している。
【００２８】
本体１０は給電のための電源コードのコネクタを接続するための給電部１５を備える。給電部１５の差込口３１は、主側壁２５の給電部側壁２７に隣接した位置に設けられている。本実施形態における差込口３１は概ね矩形状の開口である。給電部１５の端子ケーシング３３は、底体１４の底面３７に形成された概ね矩形状の窪み３２に収容されている。この窪み３２は底面３７の一部を構成するように底体１４にねじ止めされた蓋３５によって閉鎖されている。蓋３５を取り外せば、窪み３２に対して端子ケーシング３３を着脱できる。端子ケーシング３３は、一端側に前述した差込口３１を備え、他端側に内部機器（図示せず）と電気的接続された３本の端子３４が装着されている。
【００２９】
主側壁２５には、差込口３１の副側壁２６に近い側の縁上に位置するガイド部３６が設けられている。ガイド部３６は、頂壁２４に対して略直交するように突起状に形成されている。ガイド部３６は、電源コードのコネクタ（図示せず）を差込口３１に確実に挿入できるように案内する。
【００３０】
副側壁２６は、底面視で左右に延びており、凹部１６の本体１０前方向の境界を画定する。図３を参照すると、副側壁２６の後方から見た輪郭は、１つの円弧（底体１４の曲面に相当）と、円弧の両端から延びて互いに直交する２本の直線部分とにより囲まれて形成された略扇形である。
【００３１】
図３を参照すると、給電部側壁２７の後方から見た輪郭は略矩形である。給電部側壁２７は、主側壁２５から本体１０の中心側に延びている。
【００３２】
図３を参照すると、別の副側壁２８の側方から見た輪郭は、略直角三角形である。差込口３１を正面視した場合において、別の副側壁２８は、差込口３１よりも奥に位置している。
【００３３】
底体１４の底面３７には、本体１０を支持する脚部３８が複数設けられている。そのうちの１つは、主側壁２５と副側壁２６の交点付近に配置されている。
【００３４】
次に、本発明の第１実施形態の電気機器の一例である炊飯器本体１０の凹部１６の上方の側部２１または背面部２２に付着した水の移動経路について説明する。
【００３５】
本体１０の凹部１６の上方の側部２１または背面部２２に付着した水は、側部２１上および／または背面部２２上を下方に移動する。そして、その水は凹部１６の開口２３、すなわち、頂壁２４の外縁２９に到達する。
【００３６】
頂壁２４の外縁２９に到達した水の一部は、外縁２９からそのまま下方に落下し、本体１０から離れる。
【００３７】
頂壁２４の外縁２９に到達した水の残りの一部は、頂壁２４を伝ってさらに給電部１５側へ向かって流れる。しかし、この水は、外縁２９に沿って設けられた防水溝３０に入り込む。
【００３８】
そして、防水溝３０に入り込んだ水の一部は、防水溝３０から下方に落下し、本体１０から離れる。
【００３９】
また、防水溝３０に入り込んだ水の残りの一部は、内壁を伝って端部３０ａ，３０ｂへと移動する。端部３０ａ，３０ｂに移動した水は、端部３０ａ，３０ｂから副側壁２６や別の副側壁２８を伝って下方に落下し、本体１０から離れる。
【００４０】
このようにして、凹部１６の給電部１５への水の浸入を確実に防止できる。
【００４１】
特に、防水溝３０に入り込んだ水を防水溝３０内部の内壁を伝わせて給電部１５の差込口３１を越えた端部３０ａ，３０ｂに移動させることができるので、主側壁２５に設けられた給電部１５への水の浸入を確実に防止できる。本実施形態では、給電部１５と別の副側壁２８との間に給電部側壁２７を介在させているので、給電部１５の差込口３１に近い方の端部３０ｂからの水が別の副側壁２８を伝う場合であっても、給電部側壁２７によって給電部１５の差込口３１側への移動が阻止され、給電部１５への水の浸入を確実に防止できる。
【００４２】
防水のために庇のような下向きに突出する部分を頂壁２４に設ける必要がなく、凹部１６の開口２３の高さは電源コードのコネクタの進入を許容する必要最小限の寸法に設定できるので、本体１０の高さ方向の大型化を回避できる。また、頂壁２４の防水溝３０が上向きに窪んでいるので、凹部１６に給電部１５の差込口３１を設けても電源コードを差込口３１に接続する際に、電源コードを凹部１６に挿入し難くなることを回避できる。さらに、上向きに窪んだ防水溝３０が補強リブの役割を果たすため、頂壁２４の強度を高めることができる。なお、折れ曲がった形状の断面を有する突起状の庇部を形成する場合、製造工程が複雑になるばかりでなく、強度を確保することも困難になるのに対し、異なる方向に延びる複数の防水溝が連続するように接続された折れ曲がった形状の防水溝を形成する場合には、製造工程は相対的に容易であり、強度の面においては、さらに向上させることができるという点で有利である。
【００４３】
本発明によれば、本体１０下部に設けられ側部２１に向いて開口する凹部１６の内部に給電部１５を備える電気機器１０において、機器本体１０の大型化および給電部１５への接続に際して困難を伴う凹部１６構造の形成を回避しつつ、給電部１５への水の浸入を確実に防止することができる。
【００４４】
図６は、本発明の第２実施形態の電気機器の一例である炊飯器本体１０の給電部１５の部分拡大図である。本実施形態において、底体１４を除いて第１実施形態と同様の構成であるため、その説明を省略する。
【００４５】
本体１０の背面部２２の下部中央の領域には、底体１４に凹部１６が形成されている。凹部１６は、本体１０の背面部２２、および、下方の２方向に向いた開口２３を有する。凹部１６の上方の境界を画定する頂壁２４から、主側壁２５と主側壁２５にそれぞれ隣接する副側壁２６Ａ，２６Ｂとが下向きに延びている。頂壁２４の底面視での輪郭は、略矩形である。主側壁２５と副側壁２６Ａ，２６Ｂは底面視でコの字状を呈している。頂壁２４，主側壁２５、副側壁２６Ａ，２６Ｂの縁により開口２３が画定されている。本実施形態では、頂壁２４は実質的に水平面（法線が鉛直方向を向いた面）であり、主側壁２５、副側壁２６Ａ，２６Ｂはいずれも実質的に鉛直面（法線が水平方向を向いた面）である。本実施形態では、凹部１６を背面部２２の底体１４の中央に設けたが、これだけに限定されず、例えば底体１４の側部２１等に設けてもよい。
【００４６】
頂壁２４には、外縁２９に沿って上向きに窪んだ防水溝３０が設けられている。防水溝３０は底面視で直線状である。防水溝３０の一端３０ｃは、副側壁２６Ａと隣接するように位置している。他端３０ｄは、副側壁２６Ｂと隣接するように位置している。すなわち、防水溝３０の両端部３０ｃ，３０ｄは、底面視で給電部１５の差込口（入口）３１を越えた所に位置している。そして、上向きに窪んだ防水溝３０は補強リブの役割を果たしている。防水溝３０の幅は、２〜５ｍｍであり、好ましくは、３ｍｍである。防水溝３０の深さは、２〜５ｍｍであり、好ましくは、３ｍｍである。本実施形態では、防水溝３０の断面形状は矩形であるが三角形、五角形、半円、半だ円等、他の形状でもよい。
【００４７】
主側壁２５は、底面視で左右に延びており、凹部１６の本体１０前方向の境界を画定する。主側壁２５は略矩形である。主側壁２５は、上端が頂壁２４と連続し、下端が底体１４の底面３７と連続している。
【００４８】
本体１０は給電のための電源コードのコネクタを接続するための給電部１５を備える。給電部１５の差込口３１は、主側壁２５の左右方向の中央に設けられている。
【００４９】
副側壁２６Ａ，２６Ｂは、それぞれ、底面視で前後に延びている。副側壁２６Ａは、凹部１６の本体１０左方向の境界を画定する。副側壁２６Ｂは、凹部１６の本体１０右方向の境界を画定する。
【００５０】
本実施形態においても、凹部１６の上方の背面部２２に付着した水の移動経路については、第１実施形態と同様である。
【００５１】
したがって、凹部１６の給電部１５への水の浸入を確実に防止できる。
【００５２】
特に、防水溝３０に入り込んだ水を防水溝３０内部の内壁を伝わせて給電部１５の差込口３１を越えた端部３０ｃ，３０ｄに移動させ、副側壁２６Ａおよび／または副側壁２６Ｂを伝わせて本体１０から排出できるので、主側壁２５に設けられた給電部１５への水の浸入を確実に防止できる。
【００５３】
防水のために庇のような下向きに突出する部分を頂壁２４に設ける必要がなく、凹部１６の開口２３の高さは電源コードのコネクタの進入を許容する必要最小限の寸法に設定できるので、本体１０の高さ方向の大型化を回避できる。さらに、上向きに窪んだ防水溝３０が補強リブの役割を果たすため、頂壁２４の強度を高めることができる。
【００５４】
本発明によれば、本体１０下部に設けられ側部２１に向いて開口する凹部１６の内部に給電部１５を備える電気機器１０において、機器本体１０の大型化および給電部１５への接続に際して困難を伴う凹部１６構造の形成を回避しつつ、給電部１５への水の浸入を確実に防止することができる。
【００５５】
本発明は実施形態のものに限定されず、以下に例示するように種々の変形が可能である。
【００５６】
図６および図７中の二点鎖線により示すように、防水溝３０の端部３０ａ，３０ｂ，３０ｃ，３０ｄと連続するように、副側壁２６，２６Ａ，２６Ｂ，２８に側壁溝４１を設けてもよい。また、後述の防水溝３０Ａ，３０Ｂの端部３０ｈ，３０ｊ，３０ｋ，３０ｍにおいても同様である。この構成によれば、防水溝３０の端部３０ａ，３０ｂ，３０ｃ，３０ｄに移動させた水を、防水溝３０の端部３０ａ，３０ｂ，３０ｃ，３０ｄと接する側壁２６，２６Ａ，２６Ｂ，２８の側壁溝４１を通して本体１０から確実に排出できる。
【００５７】
図８（ａ）に示すように、防水溝３０の深さは、給電部１５の差込口３１に近い方の端部から遠い方の端部に向かって浅くなるように形成してもよい。具体的には、副側壁２６の端部３０ａの深さｄ１よりも別の副側壁２８の端部３０ｂの深さｄ２が大きくなり、かつ、端部３０ａから端部３０ｂへ向けて深くなるように防水溝３０の底壁に傾斜を持たせる。この構成によれば、防水溝３０に入り込んだ水を、防水溝３０を伝って給電部１５の差込口３１に近い方の端部３０ｂから遠い方の端部３０ａへと送ることができる。防水溝３０の端部３０ａに送られた水は、本体１０から略重力方向に排出することができる。また、図８（ｂ）に示すように、防水溝３０の深さは、開口２３側の外縁２９から給電部１５側に向かって深くなるように形成してもよい。具体的には、外縁２９側の端部３０ｅの深さｄ３よりも給電部１５側の端部３０ｆの深さｄ４が大きくなり、かつ、端部３０ｅから端部３０ｆへ向けて深くなるような傾斜面３０ｇを防水溝３０の底壁に形成する。この構成によれば、防水溝３０は、開口２３側の外縁２９から給電部１５側に向かって登り勾配の傾斜面３０ｇを形成しているので、開口２３側の外縁２９側から防水溝３０に入り込んだ水が登り勾配の傾斜面３０ｇを乗り越えて給電部１５側に浸入するのを確実に防止できる。
【００５８】
図９に示すように、端子ケーシング３３の差込口３１側の先端は、主側壁２５を側面視した場合、主側壁２５に対して本体１０の外側に向かって出っ張っている。端子ケーシング３３の差込口３１側の外周縁に突出したあご部４３が設けられている。端子ケーシング３３の上面には、差込口３１を正面視した場合における幅方向全体にあご部４３から間隔をあけて壁４７が設けられている。壁４７の背面は主側壁２５と当接している。あご部４３と壁４７の間には、溝４４が形成されている。すなわち、端子ケーシング３３の差込口３１側の上面に、主側壁２５に沿って溝４４が設けられている。この構成によれば、凹部１６の頂壁２４を伝う水が万一防水溝３０を越えて、さらに頂壁２４を伝い、主側壁２５に到達した場合であっても、主側壁２５を伝う水が給電部１５に接触する前に、その水を溝４４に流れ込ませることにより、給電部１５への水の浸入を確実に防止できる。そして、溝４４から端子ケーシング３３の側面を伝わせて電気機器本体１０から水を排出することができる。
【００５９】
図１０に示すように、給電部１５は、本体１０の内部に収容されたコードリール４５に巻回された電源コード４６を備えていてもよい。電源コード４６は、入口として形成された挿通口５２から取り出し、または、挿通口５２を通して本体１０内部へ収納することができる。
【００６０】
図１１に示すように、防水溝３０を互いに間隔をあけて複数設けてもよい。この構成によれば、頂壁２４を伝う水が仮に１つの防水溝３０を乗り越えても次の防水溝３０に捕捉されるので、給電部１５への水の浸入をより確実に防止できる。
【００６１】
図７中の二点鎖線に概念的に示すように、防水溝３０Ａは、一端３０ｈが副側壁２６上に位置し、他端３０ｊが給電部１５の差込口３１より主側壁２５上で後ろ側に位置するように外縁２９から離れて直線状に形成してもよい。また、防水溝３０Ｂのように、端部３０ｋ，３０ｍが主側壁２５上で差込口３１の前後に位置するように外縁２９から離れて円弧状に形成してもよい。
【００６２】
防水溝３０は図１２（ａ）に示すように断面が矩形状に形成されているものを説明したが、特にこれだけに限定されない。例えば、図１２（ｂ）に示すように、防水溝３０を、底壁がない溝孔状に本体１０と連通するように形成してもよい。また、図１２（ｃ）に示すように、防水溝３０の一方（好ましくは、給電部１５側）の略垂直壁４８の頂部４９において、略水平壁５０との間に隙間５１をあけて本体１０内部と連通するように防水溝３０を形成してもよい。このような形状にすることにより、頂壁２４の強度を高めることはできないものの、本体１０内部の水を防水溝３０を通して外部へ排出することができる。
【符号の説明】
【００６３】
１０  炊飯器本体（本体）
１１  蓋体
１２  胴体
１３  肩体
１４  底体
１５  給電部
１６  凹部
１７  ヒンジカバー
１８  ハンドル
１９  ストッパ部
２０  操作パネル部
２１  側部
２２  背面部
２３  開口
２４  頂壁
２５  主側壁
２６，２８  副側壁
２６Ａ，２６Ｂ  副側壁
２７  給電部側壁
２９  外縁
３０，３０Ａ，３０Ｂ  防水溝
３０ａ，３０ｂ，３０ｃ，３０ｄ，３０ｅ，３０ｆ  端部
３０ｇ  傾斜面
３０ｈ，３０ｊ，３０ｋ，３０ｍ  端部
３１  差込口（入口）
３２  窪み
３３  端子ケーシング
３４  端子
３５  蓋
３６  ガイド部
３７  底面
３８  脚部
４１  側壁溝
４３  あご部
４４  溝
４５  コードリール
４６  電源コード
４７  壁
４８  垂直壁
４９  頂部
５０  水平壁
５１  隙間
５２  挿通口（入口）
【図１】
0005519453.tif 000002
【図２】
0005519453.tif 000003
【図３】
0005519453.tif 000004
【図４】
0005519453.tif 000005
【図５】
0005519453.tif 000006
【図６】
0005519453.tif 000007
【図７】
0005519453.tif 000008
【図８】
0005519453.tif 000009
【図９】
0005519453.tif 000010
【図１０】
0005519453.tif 000011
【図１１】
0005519453.tif 000012
【図１２】
0005519453.tif 000013